(57)【要約】【課題】収納部に温度調整を行う機能が付加されることにより、収納部内の物の温度管理ができる収納キャビネットを提供する。【解決手段】浴室３と洗面脱衣所４を仕切る間仕切壁２に貫通形成されるキャビネット孔２１に設けられる収納キャビネットであって、内部が収納空間１６となる筐体からなる収納部１が、キャビネット孔２１を塞ぐように設けられ、収納部１の側壁部には、内部の収納空間１６と洗面脱衣所４とを連通させる脱衣所側開口１２と、内部の収納空間１６と浴室３とを連通させる浴室側開口１３と、が形成され、脱衣所側開口１２と浴室側開口１３とにはそれぞれ扉１４が開閉自在に設けられ、収納部１に、収納空間１６内の温度の調整を行う温度調整部１１で構成される。【選択図】図１
2013108233.tif 000002
【特許請求の範囲】
【請求項１】
浴室と洗面脱衣所を仕切る間仕切壁に貫通形成されるキャビネット孔に設けられる収納キャビネットであって、
内部が収納空間となる筐体からなる収納部が、
前記キャビネット孔を塞ぐように設けられ、
前記収納部の側壁部には、内部の前記収納空間と前記洗面脱衣所とを連通させる脱衣所側開口と、
内部の前記収納空間と前記浴室とを連通させる浴室側開口と、
が形成され、
前記脱衣所側開口と前記浴室側開口とにはそれぞれ扉が開閉自在に設けられ、
前記収納部に、
前記収納空間内の温度の調整を行う温度調整部が設けられることを特徴とする収納キャビネット。
【請求項２】
前記扉の前記収納空間側と反対側の外面に鏡が設けられていることを特徴とする請求項１記載の収納キャビネット。
【請求項３】
前記収納部が前記洗面脱衣所側に突出していることを特徴とする請求項１又は２記載の収納キャビネット。
【発明の詳細な説明】
【技術分野】
【０００１】
本発明は洗面脱衣所と浴室が仕切られている、間仕切壁に設けられる収納キャビネットに関する。
【背景技術】
【０００２】
従来より、洗面脱衣所と浴室を仕切っている間仕切壁に、洗面脱衣所から浴室へ貫通するキャビネット孔が開口し、キャビネット孔に収納部が設けられ、収納部には浴室側と洗面脱衣所側にそれぞれ扉が開閉自在に設けられているものが知られている（例えば特許文献１参照）。
【先行技術文献】
【特許文献】
【０００３】
【特許文献１】特開平９−７２１１８号公報
【発明の概要】
【発明が解決しようとする課題】
【０００４】
特許文献１に記載された従来の収納キャビネットは、収納部に温度調整を行う機能が無いため、収納部内の物が常温もしくは浴室の熱気で暖められてしまっていた。
【０００５】
本発明は上記従来の問題点に鑑みて発明したものであって、その目的とするところは、収納部に温度調整を行う機能が付加されることにより、収納部内の物の温度管理ができる機能を提供することを課題とするものである。
【課題を解決するための手段】
【０００６】
上記課題を解決するために、本発明は、以下のような構成とする。
【０００７】
浴室と洗面脱衣所を仕切る間仕切壁に貫通形成されるキャビネット孔に設けられる収納キャビネットであって、内部が収納空間となる筐体からなる収納部が、前記キャビネット孔を塞ぐように設けられ、前記収納部の側壁部には、内部の前記収納空間と前記洗面脱衣所とを連通させる脱衣所側開口と、内部の前記収納空間と前記浴室とを連通させる浴室側開口と、が形成され、前記脱衣所側開口と前記浴室側開口とにはそれぞれ扉が開閉自在に設けられ、前記収納部に、前記収納空間内の温度の調整を行う温度調整部が設けられることを特徴とする。
【０００８】
前記扉の前記収納空間側と反対側の外面に鏡が設けられていることが好ましい。
【０００９】
前記収納部が前記洗面脱衣所側に突出していることが好ましい。
【発明の効果】
【００１０】
本発明にあっては、収納部に温度調整を行う機能が付加されることにより、収納部内の物の温度管理ができる。
【図面の簡単な説明】
【００１１】
【図１】本発明の第一実施形態の平面図である。
【図２】本発明の斜視図である。
【図３】本発明の第二実施形態の平面図である。
【発明を実施するための形態】
【００１２】
以下、本発明の第一実施形態について図１に基いて説明する。
【００１３】
本実施形態は、浴室３と洗面脱衣所４とにそれぞれ連通する開口を有する収納部１と、収納部１内の温度の調整を行う、温度調整部１１を備えている。
【００１４】
浴室３は浴槽３１と洗い場３２を備えられている。また、浴室３と洗面脱衣所４とを隔てる間仕切壁２が設けられている。
【００１５】
間仕切壁２には洗面脱衣所４から浴室３へと貫通するキャビネット孔２１が設けられている。そして、キャビネット孔２１は矩形状に形成されている。なおキャビネット孔２１は、矩形状に限らず収納部１の形に合わせたものであればよい。
また間仕切壁２には、洗面脱衣所４から浴室３、浴室３から洗面脱衣所４へと出入りする、出入口２２が設けられている。また、洗い場３２の壁面にはカウンター３３が設けられている。
【００１６】
本実施形態は、収納部１がキャビネット孔２１内に納まっている形態である。言い換えると、浴室３側と洗面脱衣所４側どちらにも、収納部１が突出していないものである。
【００１７】
収納部１は内部が収納空間１６となる筐体により形成されている。なお、収納部の形状は略矩形箱状となっているが、それだけに限定されない。
【００１８】
収納部１の側壁部には、内部の収納空間１６と洗面脱衣所４とを連通させる脱衣所側開口１２と、内部の収納空間１６と浴室３とを連通させる浴室側開口１３と、が形成されている。収納部１の脱衣所側開口１２と浴室側開口１３とにはそれぞれ扉１４が開閉自在に設けられる。このため、シャンプーや洗顔料といった洗面脱衣所４と浴室３両方で使用される小物類を収納することで、浴室３側と洗面脱衣所４側どちらからでも、この小物類を取り出すことができる。よって、小物類を使用するにあたって、洗面脱衣所４と浴室３との間を往復して取りに行く必要が無く、また同じ小物類を洗面脱衣所４と浴室３に用意する必要が無い。また小物類を目に付かない場所に収納できるので、美観もよくなる。
【００１９】
本実施形態では、洗面脱衣所４側の扉１４の収納空間１６側と反対側の外面に鏡が設けられている。なお鏡は浴室３側の扉１４の外面に設けられてもよく、また両方の扉１４の外面に設けられていてもよい。
【００２０】
収納部１の内部には棚板１５が設けられている。なお、棚板１５は取外し自在でもよく、棚板１５は収納部１内に無くてもよい。
【００２１】
収納部１に、収納部１内の温度の調整を行う温度調節部１１が設けられる。温度調節部１１はペルチエ素子を用いるものや、ヒートポンプを用いるもの等、既存のものが適宜用いられるもので、前記ペルチエ素子やヒートポンプのみに限定されない。なお収納部１に温度調節部１１を備えたことで、冷温管理が必要な化粧品や飲み物を冷やしておくことができるため、わざわざ台所等に取りに行かず、その場で飲み物等を手に入れることができる。
【００２２】
また化粧品を台所にある食品用の冷蔵庫に入れていたのでは、匂いが食品に移る、化粧品をこぼして食品を台無しにするといった虞があるが、収納部１に化粧品を収納しておくことにより、これらの問題を生じ難くすることができる。さらに冷蔵の機能があると、夏場には化粧品を冷やして快適に使用できるとともに、雑菌の繁殖を抑えることができ、化粧品を長持ちさせることができる。そして台所にある冷蔵庫に入れていては邪魔になるものや、誤って使用してしまう虞のあるものを収納しておくことができる。
【００２３】
次に、第二実施形態について図３に基づいて説明する。なお、本実施形態については図１に示す上記第一実施形態と大部分について同じであるため、同じ構成については同符号を付して説明を省略し、主に異なる部分について説明する。
【００２４】
本実施形態は収納部１が、洗面脱衣所４側に突出し、洗面脱衣所４に備えられている洗面台４１のミラーキャビネットと同様のデザインで設けられたものである。このような構成にしたことで、収納部１を洗面台４１のミラーキャビネットと一体の外観にし易くなり、違和感が生じ難くなる。そして収納部１の容量が増え小物類をより多く収納しておくことができる。また収納部１は浴室３側に突出していてもよい。
【符号の説明】
【００２５】
１    収納部
１１  温度調節部
１２  脱衣所側開口
１３  浴室側開口
１４  扉
１５  棚板
１６  収納空間
２    間仕切壁
２１  キャビネット孔
２２  出入口
３    浴室
３１  浴槽
３２  洗い場
３３  カウンター
４    洗面脱衣所
４１  洗面台
【図１】
2013108233.tif 000003
【図２】
2013108233.tif 000004
【図３】
2013108233.tif 000005